(57)【要約】【課題】幼児が誤って開けてしまうことを防止し、且つ片手で容易に開閉が可能なロック機構を備えた、幼児用おむつのような汚物を廃棄するための汚物処理装置を提供する。【解決手段】汚物処理装置１１は、蓋体２３と収納本体上部１９との連結状態をロックする蓋体ロック機構２４と、収納本体上部１９と収納本体下部１７との連結状態をロックする本体ロック機構２５とを備える。さらに汚物処理装置１１は、、蓋体ロック機構２４によるロックの解除操作の方向と、蓋体２３の開放操作の方向とを異ならせるようにした蓋体ロック解除機構と、本体ロック機構２５によるロックの解除操作の方向と、収納本体上部１９の開放操作の方向とを異ならせるようにした本体ロック解除機構とを備える。【選択図】図９
2011057382.tif 000002
【特許請求の範囲】
【請求項１】
分離可能に接続された収納本体上部と収納本体下部とを含み、上部が開口となっている汚物収納本体と、
前記汚物収納本体の上部開口部に開閉可能に接続された蓋体と、
前記収納本体上部に取り付けられた、汚物収容のためのフィルムを収納するフィルム収納部および密閉機構と、
前記蓋体と前記収納本体上部との連結状態をロックする蓋体ロック機構と、
前記収納本体上部と前記収納本体下部との連結状態をロックする本体ロック機構と、
前記蓋体ロック機構によるロックの解除操作の方向と前記蓋体の開放操作の方向とを異ならせるようにした蓋体ロック解除機構と、
前記本体ロック機構によるロックの解除操作の方向と、前記収納本体上部の開放操作の方向とを異ならせるようにした本体ロック解除機構とを備える、汚物処理装置。
【請求項２】
前記蓋体ロック解除機構および前記本体ロック解除機構は、それぞれ、操作者の片手の指の届く範囲内にロック解除操作部と、開放操作部とを含む、請求項１に記載の汚物処理装置。
【請求項３】
前記ロック解除操作部は、指で押込む押しボタンである、請求項２に記載の汚物処理装置。
【請求項４】
前記開放操作部は、指を引っ掛ける凹部または凸部である、請求項２または３に記載の汚物処理装置。
【請求項５】
前記蓋体は、その一方端がヒンジによって前記収納本体上部に回動可能に接続され、
前記蓋体ロック機構および蓋体ロック解除機構は、前記ヒンジと逆の他方端側に設けられている、請求項１〜４のいずれかに記載の汚物処理装置。
【請求項６】
前記収納本体上部は、その一方端がヒンジによって前記収納本体下部に回動可能に接続され、
前記本体ロック機構および本体ロック解除機構は、前記ヒンジと逆の他方端側に設けられている、請求項１〜５のいずれかに記載の汚物処理装置。
【請求項７】
前記収納本体上部と前記収納本体下部とを接続するヒンジが、当該汚物処理装置の鉛直高さの略中央に配設されている、請求項６に記載の汚物処理装置。
【発明の詳細な説明】
【技術分野】
【０００１】
本発明は使用済みの幼児用おむつのような汚物を廃棄するための汚物処理装置に関する。
【背景技術】
【０００２】
使用済み幼児用おむつのような汚物を廃棄するための汚物処理装置に関する技術として、特開２００２−５０２７８４号公報（特許文献１）が開示されている。
【０００３】
特許文献１に記載の汚物処理装置は、一端が閉鎖された円筒状のフィルムと、フィルム内部に投入された汚物をフィルムとともに受け入れる汚物収納本体とを備える。汚物収納本体は上端側に開口部を有する中空容器の収納本体下部と、収納本体下部に回動可能にヒンジで枢着された筒状の収納本体上部と、収納本体上部の上端部に開閉可能にヒンジで枢着された蓋体と、収納本体上部と収納本体下部、および蓋体と収納本体上部とを解除可能にロックする留め具とを備える。蓋体は回転可能に設けられたフィルムを切断するためのカッター刃を有する。
【０００４】
この汚物処理装置は、汚物廃棄のときは蓋体の留め具を外して蓋体を開蓋し、フィルム内に汚物を廃棄する。また汚物収納本体に貯蔵された汚物を取り出すときは、前述のカッター刃を回転させてフィルムを切断し、留め具を外して収納本体上部を回動させて開き、汚物収納本体内部に貯蔵された汚物を廃棄するというものである。
【先行技術文献】
【特許文献】
【０００５】
【特許文献１】特開２００２−５０２７８４号公報
【発明の概要】
【発明が解決しようとする課題】
【０００６】
しかしながら特許文献１に記載のような従来の汚物処理装置は、収納本体上部と収納本体下部とをロックしている留め具が単純であり、幼児が誤ってロックを解除し収納本体上部を開いてしまう可能性があった。また、蓋体と収納本体上部とをロックする留め具に関しても同様に単純であり、幼児による誤った開蓋を引き起こす可能性があった。
【０００７】
前述のように、従来の幼児用おむつ処理装置はフィルムを切断するためのカッター刃を備えているため、幼児が誤って収納本体上部もしくは蓋体を開いてしまった場合に、中に手を入れて怪我をする危険があるといった問題があった。
【０００８】
本発明は上記課題を解決し、幼児が誤って開けてしまうことを防止し、且つ片手で容易に開閉が可能なロック機構を備えた、幼児用おむつのような汚物を廃棄するための汚物処理装置を提供することを目的とする。
【課題を解決するための手段】
【０００９】
本発明の汚物処理装置は、分離可能に接続された収納本体上部と収納本体下部とを含み、上部が開口となっている汚物収納本体と、汚物収納本体の上部開口部に開閉可能に接続された蓋体とを備える。
【００１０】
また、収納本体上部に取り付けられた、汚物を収容するフィルムのフィルム収納部および密閉機構と、蓋体と収納本体上部との連結状態をロックする蓋体ロック機構と、収納本体上部と収納本体下部との連結状態をロックする本体ロック機構とを備える。
【００１１】
さらに、蓋体ロック機構によるロックの解除操作の方向と、蓋体の開放操作の方向とを異ならせるようにした蓋体ロック解除機構と、本体ロック機構によるロックの解除操作の方向と、収納本体上部の開放操作の方向とを異ならせるようにした本体ロック解除機構とを備える。
【００１２】
かかる本発明によれば、蓋体または汚収納本体上部を開くためには、ロックを解除するために蓋体ロック解除機構または本体ロック解除機構をある特定の方向へ向けて操作し、且つその方向と異なるある特定の方向へと蓋体または収納本体上部を開かなくてはならない。
【００１３】
このことが、開けようとする意思と知恵を持たない幼児が蓋体または収納本体上部を開くことを極めて困難とする。したがって、幼児が誤って蓋体または収納本体上部を開くことを防止することができる。
【００１４】
好ましい実施形態として、蓋体ロック解除機構および本体ロック解除機構は、それぞれ、操作者の片手の指の届く範囲内にロック解除操作部と、開放操作部とを含んでもよい。
【００１５】
かかる本発明によれば、蓋体または収納本体上部のロック解除操作と開放操作を、片手にて簡単に行うことが可能である。
【００１６】
好ましい実施形態として、ロック解除操作部は、指で押込む押しボタンであってもよい。
【００１７】
かかる本発明によれば、ロックを解除操作部を押しボタンとしたことによって、使用者が容易に操作を理解することができ、且つ操作も簡単である。
【００１８】
好ましい実施形態として、開放操作部は、指を引っ掛ける凹部または凸部であってもよい。
【００１９】
また、蓋体は、その一方端がヒンジによって収納本体上部に回動可能に接続され、蓋体ロック機構および蓋体ロック解除機構は、ヒンジと逆の他方端側に設けられていてもよい。
【００２０】
さらに、収納本体上部は、その一方端がヒンジによって収納本体下部に回動可能に接続され、本体ロック機構および本体ロック解除機構は、ヒンジと逆の他方端側に設けられていてもよい。
【００２１】
かかる本発明によれば、ロックを解除して蓋体または収納本体上部をヒンジを支点とした回動操作によって開くことができ、且つ回動操作をするにあたって指を引っ掛ける凹部または凸部を有するため、回動操作がし易い利点を有する。
【００２２】
好ましい実施形態として、収納本体上部と収納本体下部とを接続するヒンジが、当該汚物処理装置の鉛直高さの略中央に配設されていてもよい。
【００２３】
かかる本発明によれば、本体ロック機構のロックを解除し収納本体上部を回動して開いた場合に、収納本体下部におけるヒンジを有する背面と、収納本体上部におけるヒンジを有する背面とが接して回動が制止されると同時に、蓋体の上端が接地する。
【００２４】
このことが収納本体上部の回動による力によって汚物処理装置が回動方向へ転倒することを防ぐと共に、収納本体上部開放状態において、汚物処理装置の重心が安定する効果がある。
【発明の効果】
【００２５】
本発明の汚物処理装置によれば、蓋体または汚収納本体上部を開くためには、ロックを解除するために蓋体ロック解除機構または本体ロック解除機構をある特定の方向へ向けて操作し、且つその方向と異なるある特定の方向へと蓋体または収納本体上部を開かなくてはならない。
【００２６】
このことが、開けようとする意思と知恵を持たない幼児が蓋体または収納本体上部を開くことを極めて困難とする。したがって、幼児が誤って蓋体または収納本体上部を開くことを防止することができる。
【図面の簡単な説明】
【００２７】
【図１】本発明の一実施形態になる汚物処理装置を示す全体斜視図である。
【図２】同実施形態になる汚物処理装置の側方断面図である。
【図３】同実施形態になる汚物処理装置の側方断面図である。
【図４】同実施形態の密閉機構の閉扉時を拡大して示す側方断面拡大図である。
【図５】同実施形態の密閉機構の開扉時を拡大して示す側方断面拡大図である。
【図６】（ａ）同実施形態のＬ字型密閉用扉および逆Ｌ字型密閉用扉受部の開扉時の挟み込み形状を拡大して示す側方断面拡大図である。（ｂ）同実施形態のＬ字型密閉用扉およびＬ字型密閉用扉受部の閉扉時の挟み込み形状を拡大して示す側方断面拡大図である。
【図７】（ａ）本発明の一実施形態になる凸字型密閉用扉および凹字型密閉用扉受部の開扉時の挟み込み形状を拡大して示す側方断面拡大図である。（ｂ）本発明の一実施形態になる凸字型密閉用扉および凹字型密閉用扉受部の閉扉時の挟み込み形状を拡大して示す側方断面拡大図である。
【図８】同実施形態のフィルム収納部を取り出して示す分解斜視図である。
【図９】同実施形態の汚物処理装置を示す全体斜視図である。
【図１０】同実施形態の汚物処理装置を背面斜め方向からみた斜視図である。
【図１１】同実施形態の本体ロック機構および蓋体ロック機構を拡大して示す側方断面拡大図である。
【図１２】同実施形態の本体ロック解除操作を示した斜視図である。
【図１３】同実施形態の収納本体上部を回動した状態を示す側方断面図である。
【図１４】同実施形態の蓋体ロック解除操作を示した斜視図である。
【発明を実施するための形態】
【００２８】
以下、本発明の実施の形態を図面に基づき詳細に説明する。図１は本発明の一実施形態になる汚物処理装置を示す全体斜視図である。図２および図３は同実施形態になる汚物処理装置を示す側方断面図であり、図２は密閉用扉の閉扉状態を、図３は密閉用扉の開扉状態を示す。
【００２９】
汚物処理装置１１は使用済みのおむつ等の汚物Ｄが投入される汚物投入口１６と、汚物投入口１６から下方へ延び下端が結び目２６によって閉じた円筒型のフィルム１５と、汚物投入口１６から投入された汚物Ｄをフィルム１５とともに受け入れる汚物収納本体１３と、上方から汚物投入口１６に被さる蓋体２３とを備える。
【００３０】
汚物投入口１６には長尺なフィルム１５が取り付けられている。フィルム１５は汚物投入口１６の口元を覆うようにして下方へ延びている。
【００３１】
汚物収納本体１３はフィルム１５内部に廃棄される汚物Ｄを貯蔵する中空の容器であり、収納本体下部１７と収納本体上部１９とに分割されている。収納本体下部１７は下端側に底部１７ｂを有し上端側に開口部を有する。収納本体上部１９は、下端側で収納本体下部１７の上端の開口部を覆い、上端部に汚物投入口１６を有する。
【００３２】
また収納本体上部１９の内部には、汚物投入口１６と貯蔵された汚物との間でフィルム１５を挟み込んで遮断する開閉式の密閉機構２８が設けられている。密閉機構２８は密閉用扉３３と密閉用扉受部３５とを有する。
【００３３】
密閉機構２８については後述する。
【００３４】
汚物を廃棄する場合、使用者はまず蓋体２３を開き、次に汚物投入口１６からフィルム１５の内部に汚物Ｄを投入する。次に使用者は、汚物投入口１６に手を入れ、フィルム１５を汚物Ｄとともに押し下げて密閉用扉３３を押し開く。下方へ押し込まれた汚物はフィルム１５とともに開扉した密閉用扉３３と密閉用扉受部３５との間を通過する。密閉用扉３３および密閉用扉受部３５を通過した汚物Ｄは、フィルム１５を伝って下方へ進み、汚物収納本体１３に蓄積される。使用者が密閉用扉３３および密閉用扉受部３５よりも下方に汚物を落とし、汚物投入口１６から手を抜くと密閉用扉３３が直ちに閉扉してフィルム１５を挟み込む。また、新しいフィルム１５が汚物投入口１６から繰り出され、汚物投入口１６には常に新しいフィルム１５部分が供給される。
【００３５】
図４は図２に示す密閉機構２８の断面形状を拡大して示す閉扉時の断面拡大図であり、図５は図３に示す密閉機構２８の断面形状を拡大して示す開扉時の断面拡大図である。
【００３６】
汚物処理装置１１は汚物投入口１６と、汚物収納本体１３内に廃棄された汚物Ｄとの間でフィルム１５を挟み込んで遮断する開閉式の密閉機構２８を内部に備える。
【００３７】
密閉機構２８は密閉用扉３３と密閉用扉受部３５とを有し、密閉用扉３３が閉扉したときに密閉用扉受部３５と係合してフィルムを挟み込む。
【００３８】
密閉用扉３３と密閉用扉受部３５とが係合したときに、密閉用扉３３の挟み込み部には密閉用扉受部３５と当接する扉当接面３３ｃが形成される。対する密閉用扉受部３５の挟み込み部には密閉用扉３３と当接する受部当接面３５ｃがそれぞれ形成される。３３ｃおよび３５ｃは閉扉状態において互いが噛み合って係合する形状を有する。
【００３９】
密閉用扉３３と密閉用扉受部３５とが閉扉した状態において、密閉用扉３３が汚物投入口１６を下方から覆って閉塞するように、密閉用扉受部３５が収納本体上部１９内部に取付け固定されている。
【００４０】
また、収納本体上部１９の内壁には密閉用扉３３が開方向および閉方向に動作するように案内するガイドレール３７が取付け固定されている。ガイドレール３７は密閉用扉受部３５の下方に取付け固定されており、密閉用扉３３はガイドレール３７に沿って摺動する。
【００４１】
密閉用扉３３は密閉用扉受部３５に向かって付勢されており、常態では互いに係合して閉じている。また常態では、図２に示すように密閉用扉３３および密閉用扉受部３５によってフィルム１５が挟み込まれている。
【００４２】
これに対し使用者が密閉用扉３３を押し下げると、密閉用扉３３が密閉用扉受部３５から離れる開方向へ進む。密閉用扉３３が開かれると、図３に示すようにフィルム１５の挟み込みが解除されて、汚物Ｄを汚物収納本体１３の内部へと投入することができる。
【００４３】
本実施形態では、密閉用扉３３が閉扉して密閉用扉受部３５と係合したときに形成される扉当接面３３ｃおよび受部当接面３５ｃの側方断面形状が、図４および図５に示したように、密閉用扉３３に形成されたＬ字形状および密閉用扉受部３５に形成された逆Ｌ字形状の組み合わせとなっている。
【００４４】
図６（ａ）は本実施形態のＬ字型密閉用扉および逆Ｌ字型密閉用扉受部の開扉時の挟み込み形状を拡大して模式的に示す側方断面拡大図であり、図６（ｂ）は本実施形態のＬ字型密閉用扉およびＬ字型密閉用扉受部の閉扉時の挟み込み形状を拡大して模式的に示す側方断面拡大図である。
【００４５】
図６に示すように、扉当接面３３ｃは、密閉用扉上面と交差し直角のＬ字状コーナー部を形成する平面３３ｃ１と、平面３３ｃ１と交差し直角のＬ字状コーナー部を形成する平面３３ｃ２と、平面３３ｃ２および密閉用扉下面と交差し直角のＬ字状コーナー部を形成する平面３３ｃ３とを有する。
【００４６】
また、受部当接面３５ｃは、平面３３ｃ１と当接し平面３３ｃ１と平行な平面３５ｃ１と、平面３３ｃ２と当接し平面３５ｃ１と直角のＬ字状コーナー部を形成する平面３５ｃ２と、平面３３ｃ３と当接し平面３５ｃ２と直角のＬ字状コーナー部を形成する面３５ｃ３とを有する。
【００４７】
密閉用扉３３が図６（ａ）に示す開扉状態から図６（ｂ）に示す閉扉状態へと、図６（ａ）に示す矢印の方向に向けて摺動してフィルム１５を挟み込むと、フィルム１５がα１およびα２の二箇所のＬ字状コーナー部において直角に屈曲される。すなわち、図６（ｂ）に示した挟み込み部分上端βから挟み込み部分下端γまでを結ぶ仮想直線が、α１〜α２の間において略水平方向に屈曲されている。
【００４８】
ここで、フィルム１５の内部下端部に廃棄された汚物Ｄは自重によって下方へと重力が掛かっている。すなわちフィルム１５には常に汚物Ｄによって、図６（ｂ）の白抜き矢印に示すように下方へのテンションが働くこととなる。
【００４９】
このようにテンションが働いた状態でフィルム１５を図６（ｂ）に示すように挟み込み、フィルム１５をα１およびα２の二箇所のＬ字状コーナー部で直角に屈曲させると、このＬ字状コーナー部においてフィルム１５にさらに大きなテンションが掛かり、前述した従来技術において臭いの伝達する要因となる残留通気経路が直角に遮断される。このことが臭いの遮断性を大きく向上させることができる。
【００５０】
また、汚物の廃棄ごとにフィルムを捩じる必要性がないため、捩じり部分による最大汚物収納量の低下を防ぐこともできる。
【００５１】
さらに、密閉用扉３３および密閉用扉受部３５を金型成型にて量産する場合、Ｌ字形状および逆Ｌ字形状は成型が容易であり、製品の量産化においても利点を有する。
【００５２】
密閉用扉３３および密閉用扉受部３５の他の実施形態を、図７の（ａ）および（ｂ）に示す。図７（ａ）は他の実施形態になる凸字型密閉用扉および凹字型密閉用扉受部の開扉時の挟み込み形状を拡大して示す側方断面拡大図であり、図７（ｂ）は当該実施形態の凸字型密閉用扉および凹字型密閉用扉受部の閉扉時の挟み込み形状を拡大して示す側方断面拡大図である。
【００５３】
この実施形態においては、密閉用扉３３と密閉用扉受部３５とによる挟み込み部分の側方断面形状が、密閉用扉３３に形成された凸字形状と密閉用扉受部３５に形成された凸字形状を受ける凹字形状との組み合わせとなっている。
【００５４】
具体的には、扉当接面３３ｃに断面凸字形状の突条１３３が形成されている。また受部当接面３５ｃに断面凹字形状の条溝１３５が形成されている。さらに、突条１３３は、密閉用扉３３の摺動方向と平行に突き出ている。
【００５５】
したがって、密閉用扉３３が閉方向へ向かって摺動し密閉用扉受部３５と係合して閉扉する際、その摺動を阻害することなく密閉用扉３３および密閉用扉受部３５に設けられた凹凸形状が係合する。
【００５６】
図７に示したように、扉当接面３３ｃの構成面はそれぞれ３３ｃ１〜３３ｃ５であり、受部当接面３５ｃの構成面はそれぞれ３５ｃ１〜３５ｃ５である。これらの構成面のうち３３ｃ２と３３ｃ４および３５ｃ２と３５ｃ４は、図７（ｂ）に示した挟み込み部分上端βから挟み込み部分下端γまでを結ぶ仮想直線と略直交する面である。
【００５７】
したがって、図７（ａ）に示す開扉状態から図７（ｂ）に示す閉扉状態へと、図７（ａ）に示す矢印の方向に向けて密閉用扉３３が摺動しフィルム１５を挟み込むと、フィルム１５がα１〜α４の四箇所のＬ字状コーナー部において直角に屈曲される。すなわち、α１〜α２間とα３〜α４間おいてフィルム１５は略水平方向へ屈曲される。
【００５８】
図６と同様に、屈曲箇所α１〜α４には白抜き矢印で示す方向に汚物Ｄの自重が作用する。したがって、この四箇所のＬ字状コーナー部においてフィルム１５に大きなテンションが掛かり、フィルム１５の内側に沿って形成される残留通気経路を直角に遮断して臭いを一層確実に遮断することができる。
【００５９】
また、汚物の廃棄ごとにフィルム１５を捩じる必要性がないため、捩じり部分による最大汚物収納量の低下を防ぐこともできる。
【００６０】
さらに、密閉用扉３３および密閉用扉受部３５を金型成型にて量産する場合、凹凸形状は成型が容易であり、製品の量産化においても利点を有する。
【００６１】
汚物処理装置１１は密閉用扉３３を常に密閉用扉受部３５の方向へ付勢するためのスプリング３９をさらに備える。スプリング３９の付勢力が大きいほど、フィルム１５を挟み込む力を大きくさせることが可能となり、臭いの遮断性をより向上させることができる。
【００６２】
図８はフィルム収納部１４を取り出して示す分解斜視図である。汚物処理装置１１は、汚物投入口１６を形成するとともにフィルム１５を収納するフィルム収納部１４を備える。このフィルム収納部１４は収納本体上部１９の上方に設けられたフィルム取付け部１２に着脱可能に取り付けられ、汚物投入口１６の外郭を形成する。フィルム収納部１４は汚物投入口１６から下方へ延びる円筒形状の管状芯部２７と、管状芯部２７の下端部に設けられた管状芯部フランジ２７ｆと、管状芯部２７の上端側に嵌め込み固定されるフランジ形状のフィルム抑えフランジ２９とを有する。
【００６３】
フィルム１５は管状芯部２７の軸方向に蛇腹状に折りたたまれて管状芯部２７の外径側に同軸に配置されるように挿通される。そして、フィルム抑えフランジ２９がフィルム１５の飛び出しを抑えるように管状芯部２７に嵌め込み接続されている。
【００６４】
すなわち、管状芯部２７の上端に位置しているフィルム抑えフランジ２９と、管状芯部２７の下端に位置している管状芯部フランジ２７ｆによって、フィルム１５は管状芯部２７の軸線方向上端と軸線方向下端との間の空間に蛇腹状に折りたたまれて圧縮され、収納されている。
【００６５】
フィルム１５は、フィルム収納部１４の消耗部品であり、収納された当該フィルムがすべて使用されると、使い済みのフィルム収納部１４を取り外し、新しいフィルム収納部１４がフィルム取付け部１２にセットされる。
【００６６】
また好ましくは、フィルム収納部１４に収納されたフィルム１５がすべて使用されたあと、フィルムのみを交換してもよい。
【００６７】
このセット操作において、汚物処理装置１１の使用者はまず蓋体２３を開いたまま管状芯部２７に圧縮収納されているフィルム１５の先端をフィルム抑えフランジ２９の外周縁を越えるように上方へ引き出す。次いで、その引き出された先端を結び目２６により閉鎖する。そしてこの結び目２６を管状芯部２７内に挿通して下方へ押し込み、フィルム収納部１４からフィルム１５を繰り出しつつ結び目２６を底部１７ｂまで押し込む。
【００６８】
フィルム１５の内部に使用済みおむつ等の汚物を廃棄していくと、フィルム１５に汚物が蓄積されていき、管状芯部２７の外形側に蛇腹状に折りたたまれたフィルム１５が次々と繰り出されて下方に伸びていくために、汚物を連続的に汚物収納本体１３内へ廃棄することが可能となる。
【００６９】
図１〜図３に示すように、本実施形態の汚物処理装置１１は、管状芯部２７の軸線方向、すなわち汚物投入口１６の開口方向が鉛直線と所定の角度で交差するように、フィルム収納部１４が収納本体上部１９に支持されている。これにより汚物投入口１６は傾斜して設けられる。
【００７０】
なお図には示さなかったが、汚物投入口１６の開口方向が水平となるようにフィルム収納部１４が収納本体上部１９に支持されていてもよい。この場合、管状芯部２７の軸線Ｏが水平に延在する。かかる場合であっても、挟み込まれたフィルム部分にテンションを掛けることができるからである。
【００７１】
また図４および図５に示すように、密閉用扉３３は略平坦な密閉用扉上面３４を有する。密閉用扉上面３４の詳細については後述する。本実施形態の汚物処理装置１１は、密閉用扉上面３４が管状芯部２７の傾斜した軸線方向に対応し、水平面と交差する所定の角度で傾斜して収納本体上部１９に支持されている。そして密閉用扉３３は密閉用扉受部３５に向かって所定の角度にて進退動する。密閉用扉３３の進退動方向Ｓは、管状芯部２７の軸線方向と異なる角度で傾斜している。
【００７２】
具体的には、図４に示すように、鉛直線に対する汚物投入口１６（管状芯部２７）の傾斜角度をθ１６とし、鉛直線に対する密閉用扉３３の進退動方向Ｓの傾斜角度をθ３３として、以下の（１）式を満足する。
【００７３】
０°＜θ１６＜θ３３                        ・・・・（１）
かかる本実施形態によれば、密閉用扉３３の進退動方向Ｓの傾斜角度θ３３が汚物投入口１６の傾斜角度θ１６よりも大きいことから、密閉用扉３３が開方向へ退動するにしたがって、管状芯部２７の軸線Ｏから遠ざかることが可能となり、開扉時には密閉用扉３３をフィルム１５から充分に離隔させることができる。したがって開扉時にはフィルム１５が大きく開放され、使用者は汚物収納本体１３に向かって汚物を落とし込み易くなる。
【００７４】
なお図には示さなかったが、密閉用扉上面３４が垂直になるように収納本体上部１９に支持されていてもよい（θ３３＝９０°）。この場合、密閉用扉３３が水平方向に進退動する。かかる場合であれば、開扉時に密閉用扉３３をフィルム１５から効果的に離隔させることができるからである。
【００７５】
母親が幼児のおむつを交換する作業は、概して幼児を床に寝かせて母親が座って交換作業を行う場合が多い。よって、本実施形態によれば、母親が座りながらおむつを交換した後に、座ったままで使用済みのおむつ（汚物）を汚物投入口１６へ入れて密閉用扉３３を開扉して汚物収納本体１３内へ廃棄することが容易となる。
【００７６】
本実施形態によれば、管状芯部２７の軸線方向が鉛直線と所定の角度で交差するようにフィルム収納部１４が収納本体上部１９に支持されている。且つ、フィルム収納部１４の下方に位置する密閉用扉３３と密閉用扉受部３５との係合による挟み込み部が、管状芯部フランジ２７ｆの下面における傾斜下方側領域に設けられるように密閉用扉受部３５が配設されている。
【００７７】
それにしたがって、密閉用扉上面３４は略平坦ではあるが、厳密には密閉用扉上面３４の上面前方部３４ｆが平坦面であり、密閉用扉上面３４の上面後方部３４ｆが上面前方部３４ｆに対し傾斜するよう緩やかに湾曲した形状である。
【００７８】
図４に沿って説明すると、フィルム収納部１４は前方において傾斜の下方側となるように収納本体上部１９に支持されている。さらに、密閉用扉３３は前方すなわち傾斜下方側において密閉用扉受部３５と協働してフィルムを挟み込んでいる。換言すると、密閉用扉３３の閉扉時においてフィルム収納部１４と３４ｆとの間には断面Ｌ字形状の扉当接面３３ｃおよび受部当接面３５ｃが介在するが、フィルム収納部１４と後方部３４ｒとの間には扉当接面３３ｃおよび受部当接面３５ｃが介在しない。
【００７９】
よって密閉用扉３３の閉扉時において挟み込み面３３ｃと隣接する上面前方部３４ｆは、フィルム収納部１４から下方に離れている。
【００８０】
他方、密閉用扉３３の後方にはフィルムを挟み込むための形状が設けられていない。よって、密閉用扉３３の閉扉時において上面後方部３４ｒはフィルム収納部１４の下端近傍に位置している。したがって密閉用扉上面３４は、密閉用扉受部３５と当接して汚物投入口を下方から閉塞するために、２つの異なる面（平坦面の上面前方部３４ｆおよび傾斜面の上面後方部３４ｒ）から構成される。
【００８１】
本実施形態においては、図４に示すように、上面前方部３４ｆと水平面との角度をθ３４ｆとし、上面後方部３４ｒと水平面との角度をθ３４ｒとして、以下の（２）式を満足するように密閉用扉上面３４が形成されている。
【００８２】
０°≦θ３４ｆ＜θ３４ｒ                        ・・・・（２）
これにより、使用者が汚物を廃棄するために密閉用扉３３を押し開くときに、上面後方部３４ｒに手を掛けて押すことによって、効率的に密閉用扉３３に押力を伝達させることができ、密閉用扉３３をより少ない力で開扉することができる。
【００８３】
なお、本実施形態の変形例として、上面後方部３４ｒと進退動方向Ｓが略直交していてもよい。かかる変形例によれば、密閉用扉３３が使用者の手から受ける押力を何ら減殺することなくスプリング３９へ入力することができる。したがって、使用者は少ない力で密閉用扉３３を押し開くことができる。
【００８４】
また本実施形態においては、前述のように密閉用扉３３が前方すなわち傾斜下方側において密閉用扉受部３５と係合しフィルムを挟み込んでいる。
【００８５】
ここで、フィルム収納部１４に汚物投入口１６から繰り出し可能に収納されているフィルム１５は、管状芯部２７の内部を鉛直下方へと通過して、汚物Ｄと共に収納本体下部１７に収納されているため、フィルム１５の内部に廃棄された汚物Ｄにかかる重力により鉛直下方へとひかれている。
【００８６】
したがって、管状芯部２７が前方において傾斜下方側となるように支持されていることにより、汚物投入口の直径をＬＯとし水平方向からの傾斜角をθＯとすると、フィルム１５は、少なくとも距離としてＬＯ（１−ｃｏｓθＯ）だけ、前方の傾斜下方側へと自然と寄せられることとなる。
【００８７】
このように自然と寄せられた傾斜下方側においてフィルム１５が密閉用扉３３と密閉用扉受部３５とによって挟み込まれている。このことが、密閉機構２８によるフィルム１５の挟み込みをより容易化させ、臭い遮断のための密閉を効率的に行う効果が期待できる。
【００８８】
次に汚物収納本体１３の開放操作について説明する。
【００８９】
図９は本実施形態の本体ロック機構２５および蓋体ロック機構２４を示す全体斜視図であり、図１０は本実施形態の汚物処理装置１１を背面斜め方向からみた全体斜視図である。また図１１は本体ロック機構２５および蓋体ロック機構２４を拡大して示す側方断面拡大図である。
【００９０】
汚物処理装置１１は通常の使用状態において収納本体上部１９が下端側で収納本体下部１７の上端の本体開口部１７ｈを覆うようにして収納本体上部１９と収納本体下部１７が閉じている。収納本体上部１９の上部にはフィルム取り付け部１２が設けられ、フィルム収納部１４が取り付けられている。
【００９１】
汚物収納本体１３の背面には、本体ヒンジ３１が配設されている。本体ヒンジ３１は、汚物処理装置１１の鉛直高さの略中央に配設されている。収納本体上部１９は収納本体下部１７に本体ヒンジ３１で枢着されており、収納本体上部１９は本体ヒンジ３１を支点として自由に回動することができる。収納本体上部１９が回動すると収納本体下部１７の上端の本体開口部１７ｈが外界に向けて開口する。
【００９２】
また、汚物収納本体１３の前面には、収納本体上部１９が収納本体下部１７を覆った状態すなわち収納本体上部１９が収納本体下部１７を閉じた状態において、収納本体上部１９の回動をロックする本体ロック機構２５と、ロックを解除するための本体ロック解除機構とが配設されている。
【００９３】
本体ロック機構２５は、円柱型の本体押ボタン２１と、本体押ボタン２１を係止してロックするために収納本体上部１９に設けられた貫通孔である押ボタン受孔３２とを有する。
【００９４】
本体押ボタン２１は、上下方向に延びる可撓性の柱部２１ｐの上端に形成されている。また柱部２１ｐの下端は、収納本体下部１７の上端と接続する。
【００９５】
本体押ボタン２１は収納本体上部１９の回動の外径方向へ突き出た円柱であり、その円柱の外周縁部である押ボタン外周縁２１ｇが、収納本体上部１９の下端側に形成されている押ボタン受孔３２に係合することによって、収納本体上部１９の回動を防止している。
【００９６】
本体ロック解除機構はロックを解除するための操作部である本体押ボタン２１と、ロックを解除したのち収納本体上部１９を回動して開けるために手を掛ける開放操作部とを含む。
【００９７】
開放操作部として、収納本体上部１９は、本体ヒンジ３１が取付けられている当該収納本体上部１９の背面から離隔した反対側の前面下端部に収納本体上部把手２２を有する。収納本体上部把手２２は本体押ボタン２１の近接下方に配設されている。
【００９８】
本体ロック機構２５は、本体押ボタン２１が押し込まれている間のみ押ボタン受孔３２との係合が外れてロックが解除される。使用者が本体押ボタン２１から手を離せば、柱部２１ｐが原位置に復帰して本体ロック機構２５は再びロック状態となる。
【００９９】
汚物収納本体１３の内部が汚物Ｄで満たされると、本体ロック機構２５を解除して収納本体上部１９を開き、内部の汚物Ｄを取り出す。
【０１００】
図１２は本体ロック機構２５の解除操作を示した斜視図である。使用者が図１２に示すように片手によって親指以外の四本の指を下方から収納本体上部把手２２に掛け、同時に親指によってその近接上方にある本体押ボタン２１を押し込み、ロックを解除しつつ、収納本体上部把手２２を持ち上げる。これにより、収納本体上部１９は背面側へ回動し、汚物収納本体１３が開かれる。
【０１０１】
図１３は本実施形態の収納本体上部１９が完全に回動した状態を示す側方断面図である。汚物収納本体１３の内部に貯蔵されて一杯となった汚物Ｄを取り出して廃棄する場合には、使用者はまず図１３に示したように収納本体上部１９を完全に開いてフィルムカッター３８によってフィルム１５をカットする。次いでフィルム１５のカット面を結んで閉鎖し、汚物収納本体１３から取り出して汚物を廃棄する。汚物Ｄを取り出した後、使用者は収納本体上部１９を収納本体下部１７に被せる。押しボタン２１は押ボタン受孔３２に係合し、収納本体上部１９は再びロックされる。
【０１０２】
本実施形態による汚物処理装置１１は、収納本体上部１９を開くためにロックを解除して収納本体上部１９を回動させるにあたり、成人の片手のいずれかの指で収納本体上部把手２２を支持しつつ、当該片手の他の指にて本体押ボタン２１を押してロックを解除できるように、本体押ボタン２１が収納本体上部把手２２の近接上方に位置している。
【０１０３】
より詳細に説明すれば、四本の指を下方から収納本体上部把手２２に掛けてその四本の指を支点にして手を握った時に、残る親指が人間工学的に最も自然にたどる軌道上に本体押ボタン２１が位置している。
【０１０４】
このことが、ロックを解除して収納本体上部１９を回動させて開く作業をより容易且つ快適にする。すなわち使用者が自然に手を握る動作に従ってロックを片手で解除することが可能となる。
【０１０５】
また、本体ロック機構２５を解除して収納本体上部１９を開くためには、本体押ボタン２１を収納本体上部１９の回動方向と略直交する内径方向へと押し込み、且つ収納本体上部把手２２を持ち上げて収納本体上部１９を回動させることが必要となる。
【０１０６】
このように、二つの異なる方向への動作を必要とすることが、開けようとする意思と知恵を持たない幼児が収納本体上部１９を開くことを極めて困難とする。したがって、幼児が誤って収納本体上部１９を開き、フィルム１５をカットするためのフィルムカッター３８に触れて怪我をする事故を防止することができる。
【０１０７】
これに対し、成人が開けようとする意思を持ち操作をすれば、片手にて簡単にロックを解除し収納本体上部１９を開くことが可能であり、汚物収納本体１３の内部に貯蔵された汚物を廃棄する場合において扱いが容易である。
【０１０８】
次に蓋体２３の開蓋操作について説明する。
【０１０９】
蓋体２３は、その背面側端部が収納本体上部１９の上端部に蓋体ヒンジ３０で枢着されており、蓋体２３は蓋体ヒンジ３０を支点として自由に回動することができる。蓋体２３が回動して開蓋すると図１に示したように汚物投入口１６が外界にむかって開放される。
【０１１０】
図９および図１１に示すように、汚物処理装置１１は、蓋体２３が汚物投入口１６を覆った状態、すなわち蓋体２３が閉蓋した状態において、蓋体２３の回動をロックする蓋体ロック機構２４と、ロックを解除するための蓋体ロック解除機構を備える。
【０１１１】
蓋体ロック機構２４は、蓋体押ボタン２０と、収納本体上部１９に設けられた蓋体押ボタン受部３６とを有する。蓋体押ボタン２０は蓋体２３の前面下部に設けられている。蓋体押ボタン２０の下端には、蓋体押ボタンフック２０ｈが形成されている。蓋体押ボタンフック２０ｈは蓋体押ボタン２０と一体となって動く。
【０１１２】
蓋体押ボタン受部３６は収納本体上部１９の上端部に形成される。蓋体２３が閉蓋した状態において、蓋体押ボタン受部３６は蓋体押ボタンフック２０ｈと係合する。
【０１１３】
蓋体ロック解除機構は、ロックを解除するための操作部である蓋体押ボタン２０と、ロックを解除したのち蓋体２３を回動して開蓋するために手を掛ける開放操作部とを含む。
【０１１４】
開放操作部として、蓋体２３は当該蓋体２３の前面側に蓋体把手１８を有する。蓋体把手１８は蓋体押ボタン２０の近接上方に配置されている。
【０１１５】
汚物投入口１６に汚物を投入する際、使用者は蓋体ロック機構２４を解除して蓋体２３を開く。図１４は蓋体ロック機構２４の解除操作を示した斜視図である。
【０１１６】
使用者が図１４に示すように片手によって、親指以外の四本の指を上方から蓋体把手１８に掛け、蓋体押ボタン２０を親指によって押し込むと、蓋体押ボタンフック２０ｈがともに押し方向へと移動して蓋体押ボタン受部３６との係合が外れて、蓋体ロック機構２４のロックが解除される。使用者は当該親指以外の四本の指を蓋体把手１８に掛けて、当該親指にて蓋体押ボタン２０を押してロックを解除しつつ、蓋体把手１８を持ち上げる。これにより、蓋体２３は背面側へ回動し、汚物投入口１６が開かれる。
【０１１７】
汚物投入口１６に汚物を投入した後、使用者は蓋体２３を閉蓋する。蓋体押ボタンフック２０ｈは原位置へ復帰して蓋体押ボタン受部３６と再び係合し、蓋体ロック機構２４はロックされる。
【０１１８】
蓋体ロック機構２４は、蓋体押ボタン２０が押し込まれている間のみ、蓋体押ボタンフック２０ｈと蓋体押ボタン受部３６との係合が解除される。つまり、使用者が蓋体押ボタン２０から親指を離せば、蓋体ロック機構２４は再びロック状態となる。
【０１１９】
したがって、蓋体ロック機構２４を解除して蓋体２３を開蓋するためには、蓋体押ボタン２０を蓋体２３の回動方向と略直交する内径方向へと押し込み、且つ蓋体把手１８を持ち上げて蓋体２３を回動させることが必要となる。このことが、開けようとする意思と知恵を持たない幼児が蓋体２３を開蓋することを極めて困難とする。これにより、幼児が誤って蓋体２３を開蓋し、中に手を入れることを防止することができる。
【０１２０】
しかしながら成人が開けようとする意思を持ち操作をすれば、片手にて簡単にロックを解除し蓋体２３を開蓋することが可能であり、汚物投入口１６に汚物を廃棄する場合において扱いが容易である。
【０１２１】
さらに、本実施形態によれば、使用者が図１４に示すように片手によって親指以外の四本の指を上方から蓋体把手１８に掛け、同時に親指によって蓋体把手１８の近接下方にある蓋体押ボタン２０を押し込むことができる。すなわち操作する人が自然に手を握る動作に従ってロックを解除することが可能となる。
【０１２２】
より詳細に説明すれば、四本の指を上方から蓋体把手１８に掛けてその四本の指を支点にして手を握った時に、残る親指が人間工学的に最も自然にたどる軌道上に蓋体押ボタン２０が位置している。このことが、ロックを解除して蓋体２３を回動させて開蓋する作業をより容易且つ快適にする。
【０１２３】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【０１２４】
本発明は安全性の高いロック機構を備えた汚物処理装置を提供するものであって、例えば幼児用おむつ処理装置といった工業製品への幅広い応用が期待できる。
【符号の説明】
【０１２５】
１１  汚物処理装置、１２  フィルム取り付け部、１３  汚物収納本体、１４  フィルム収納部、１５  フィルム、１６  汚物投入口、１７  収納本体下部、１７ｂ  底部、１７ｈ  本体開口部、１８  蓋体把手、１９  収納本体上部、２０  蓋体押ボタン、２０ｈ  蓋体押ボタンフック、２１  本体押ボタン、２１ｇ  押ボタン外周縁、２１ｐ  柱部、２２  収納本体上部把手、２３  蓋体、２４  蓋体ロック機構、２５  本体ロック機構、２６  結び目、２７  管状芯部、２７ｆ  管状芯部フランジ、２８  密閉機構、２９  フィルム抑えフランジ、３０  蓋体ヒンジ、３１  本体ヒンジ、３２  押ボタン受孔、３３  密閉用扉、３３ｃ  扉当接面、３４  密閉用扉上面、３４ｆ  上面前方部、３４ｒ  上面後方部、３５  密閉用扉受部、３５ｃ  扉受部当接面、３６  蓋体押ボタン受部、３７  ガイドレール、３８  フィルムカッター、３９  スプリング。
【図１】
2011057382.tif 000003
【図２】
2011057382.tif 000004
【図３】
2011057382.tif 000005
【図４】
2011057382.tif 000006
【図５】
2011057382.tif 000007
【図６】
2011057382.tif 000008
【図７】
2011057382.tif 000009
【図８】
2011057382.tif 000010
【図９】
2011057382.tif 000011
【図１０】
2011057382.tif 000012
【図１１】
2011057382.tif 000013
【図１２】
2011057382.tif 000014
【図１３】
2011057382.tif 000015
【図１４】
2011057382.tif 000016